(57)【要約】      （修正有）【課題】紫外線の光の散乱する性質と殺菌力を利用して、歯周病を根治する治療装置を提供する。【解決手段】紫外線の発光源から光ファイバーによって紫外線を照射部まで導き、紫外線を口腔内の狭い範囲の部位に照射可能にしたことを特徴とする、治療装置。【選択図】なし【特許請求の範囲】
【請求項１】
紫外線を歯肉または歯周ポケットに照射することにより、歯周病菌を殺菌して歯周病を治療する方法。
【請求項２】
請求項１の方法で紫外線の照射が届かない部位に紫外線を照射するために、紫外線の発光源より光ファイバーで紫外線を導き、その先端部より紫外線を発光照射して治療する方法。
【発明の詳細な説明】
【技術分野】
【０００１】  歯周病は現在のところ、予防と病気の進行を防ぐ治療が主で、歯周ポケットの奥深くに繁殖する歯周病原菌を死滅させ完治する治療法を知らない。
【背景技術】
【０００２】  本発明は紫外線の光と殺菌力の性質に着目した歯周病治療法である。
【発明の概要】
【発明が解決しようとする課題】
【０００３】  歯周病は多くの人が罹患しているにもかかわらず、歯科に行っても、患部を洗浄して薬をつけるくらいの治療しかしてもらえず、一ヶ月もすれば、また悪化する。市販の歯磨薬や歯ブラシでは効果も薄く、最終的には歯を抜くことになる。本発明は紫外線の光の性質とその殺菌力に着目し、紫外線を口腔内に照射し歯周病菌を死滅させ、歯周病の予防と完治を目的とするものである。
【課題を解決するための手段】
【０００４】  紫外線を大きく開けた口腔内に直接照射するのも有効だが、紫外線の当たる範囲には効果があっても、歯と歯の間や奥の歯には紫外線は届かない。照射時間が長くなると、口腔内を焼けどする。歯肉の奥深い歯周ポケットに照射するには、紫外線の光源から複数の細い光ファイバーで紫外線を導き、それを複数箇所の歯周ポケットに差込照射するのが有効な手段になる。
【発明の効果】
【０００５】  歯科医の使用する歯茎を洗浄する器具の先端部に光ファイバーを装着して紫外線を照射しながら歯根に接する歯肉内、歯周ポケットを洗浄すれば、洗浄と殺菌が同時に行えるようなる。紫外線には細胞活性化の効果もあるので歯周病菌を滅菌した治療のあとの歯肉の回復にも良いと考えられる。
【発明を実施するための形態】
【０００６】  口を大きく開けた状態で外部から口腔内に紫外線を数分照射すると、口腔内の紫外線の照射出来る部位の歯周病菌の殺菌、滅菌は出来る。これだけでは、予防にはなるが歯周病を根絶することは出来ない。歯周病は、歯周ポケットの奥深くに巣食っている。歯周ポケットは、５ｍｍ〜１０ｍｍと深いものもある。その深さまで紫外線を照射するには、紫外線の光源から光ファイバーで紫外線を導き、光ファイバーを歯周ポケットの奥深く差し込んで歯周ポケットの奥深く紫外線を照射することで、歯周ポケットの奥深く巣食っている歯周病菌を殺菌することが可能になる。
【実施例】
【０００７】  歯科治療の方法としては、第一に口腔内全体に数分程紫外線を照射する（紫外線の強さにもよるが）。第二に歯肉全体に紫外線照射を可能にするには、誰でも装着出来るように特定の歯形の無いマウススピース型の治療機器を作成する。それには光ファイバーを１ｍｍ間隔程で内臓あるいは装着してある。それを上顎歯と下顎歯に装着した時、歯の表と裏側の歯肉に近い断面に光ファイバーの紫外線の照射部を設けたものである。この光ファイバー装着マウスピースは、歯肉部位に限定して紫外線照射をすることが可能なので口腔内の他の部位を照射しない。口腔内の他の部位の被爆を最小限にすることより長い時間紫外線照射が可能になり治療効果を上げるのを可能にする。第三には，複数箇所ある歯周ポケットに光ファイバーを奥深く挿入し紫外線を照射、歯周ポケットの奥深く巣食う歯周病菌を殺菌して歯周病を完治する。
家庭用治療器具としては、通常の歯ブラシのブラシ部分を光ファイバーに変え、紫外線発光源から紫外線を歯ブラシの先端部に導き発光させる。使用法は、通常の歯磨きと同じく歯茎に歯ブラシの先端部を押し当て、その部位の歯周病菌を殺菌する。
【産業上の利用可能性】
【０００８】  歯周病は歯が抜けて無くなってしまう怖い病気である。近年になって歯周病が注目され、歯周病予防の歯磨きや歯ブラシが大量に市販されているが、予防の域を出ない。本発明は、紫外線の殺菌力と光の特性に着目し、予防は勿論、治癒を目指す治療法を提供するものである。
【手続補正書】
【提出日】平成24年8月3日(2012.8.3)
【手続補正１】
【補正対象書類名】明細書
【補正対象項目名】全文
【補正方法】変更
【補正の内容】
【発明の詳細な説明】
【技術分野】
【０００１】    歯周病は現在のところ、予防と病気の進行を防ぐ治療が主で、歯周ポケットの奥深くに繁殖する歯周病原菌を死滅させ完治する治療法を知らない。近年レーザー治療があるが、なかなか完治までいかない。【０００２】    本発明は紫外線の光の殺菌力の性質に着目した歯周病紫外線治療装置である。
【発明の概要】
【発明が解決しようとする課題】
【０００３】    歯周病は多くの人が罹患しているにもかかわらず、歯科に行っても、患部を洗浄して薬をつけるくらいの治療しかしてもらえず、一か月もすれば、また悪化する。市販の歯磨薬や歯ブラシでは効果も薄く、最終的には歯を抜くことになる。本発明は紫外線の散乱光の性質とその殺菌力に着目し、紫外線を口腔内または歯周ポケットに照射し歯周病菌を死滅させ、歯周病の予防と完治を目的とするものである。
【課題を解決するための手段】
【０００４】    紫外線を大きく開けた口腔内に直接照射するのも口腔内の歯周病菌を殺菌するには有効だが、紫外線の当たる範囲には効果があっても奥の歯の歯間部には紫外線は届かない。照射時間が長くなると、口腔内を火傷する。歯肉の奥深い歯周ポケットに照射するには、紫外線の光源から一本から数本の細い光ファイバーで紫外線を導き、それを複数個所の歯周ポケットに差し込み照射するのが有効な治療手段になる。
【発明の効果】
【０００５】    現在行われているレーザー治療では照射位置が一点に絞られているため歯周ポケット内の複雑な形状全体を照射することが難しく歯周病菌を残存させる可能性がある。紫外線は光ファイバーの発光部から散乱するので、歯周ポケット内の隅々まで歯周病菌を殺菌する効果がある。
【発明を実施するための形態】
【０００６】    口を大きく開けた状態で口腔内に紫外線を紫外線の強さにもよるが、数秒から数分照射すると、口腔内の紫外線を照射する部位の歯周病菌は殺菌出来る。これだけでは歯周病予防にはなるが歯周病を根絶することは出来ない。歯周病菌は、歯周ポケットの奥深く巣食っている。歯周ポケットには５ｍｍから８ｍｍと深いものもある。その深さまで紫外線を照射するには、紫外線の光源から細い光ファイバーによって紫外線を導き、光ファイバーを歯周ポケットの奥深く差し込んで紫外線を照射することで、歯周ポケットの奥深く巣食っている歯周病菌を殺菌治療することが可能になる。
【実施例】
【０００７】    歯科治療の方法としては、第一に口腔内全体を紫外線の強さにもよるが数秒から数分程照射して口腔内の歯周病菌を殺菌する。第二に歯肉全体に紫外線照射を可能にするには、誰でもが装着出来るように特定の歯型の無いマウスピース型の治療機器を作成する、それには光ファイバーを１ｍｍから３ｍｍ間隔程に内臓あるいは装着してある。それには上顎歯と下顎歯に装着した時に歯の表と裏側の歯肉に近い断面に光ファイバーからの紫外線の照射部を設けてある。この光ファイバー装着マウスピースは、歯肉部分に限定して紫外線を照射することが可能なので口腔内の他の部分を照射しない。口腔内の他の部位の被爆を最小限にすることにより、より長い時間紫外線照射が可能になる、第三には複数個所ある歯周ポケットに紫外線の光源から細い光ファイバーで紫外線を導き、それを奥深く差し込んで紫外線を照射、歯周ポケットの奥深く巣食っている歯周病菌を殺菌して歯周病を完治する治療が可能になる。
家庭用治療器具としては、通常の歯ブラシのブラシの部分を光ファイバーで造り、紫外線の光源から紫外線を歯ブラシの先端部に導き発光させる。使用法は、通常の歯磨きと同じく歯茎に歯ブラシの先端部を押し当て、その部位の歯周病菌を殺菌する。
【産業上の利用可能性】
【０００８】歯周病は歯が抜けて無くなってしまう怖い病気である。近年になって歯周病が注目され、歯周病治療や予防が喧伝されているが、完治する治療法は外科手術以外に確立されていない。全体的にいまだ予防の域を出ない。
本発明は、紫外線の殺菌力と光の特性に着目した予防は勿論、完治を目指す紫外線照射治療装置を提供するものである。
【手続補正２】
【補正対象書類名】特許請求の範囲
【補正対象項目名】全文
【補正方法】変更
【補正の内容】
【特許請求の範囲】
【請求項１】
紫外線を口腔内に照射することにより、歯周病菌を殺菌して歯周病を治療する口腔内への紫外線照射治療装置。
【請求項２】
請求項１の方法で紫外線の照射が届かない歯肉、歯周ポケット内に紫外線を照射するために、紫外線の発光源より光ファイバーで紫外線を導き、その先端部より紫外線を発光照射して歯周病を殺菌する治療装置。